(57)【要約】【課題】  ＧＳＭネットワークとＵＭＴＳネットワークとの間のハンドオーバを提供する。【解決手段】  ＧＳＭネットワークのＢＳＣからのハンドオーバ要求を処理する方法は、ＧＳＭパラメータを持つハンドオーバ要求をＢＳＣからＧＳＭネットワークのＭＳＣを介してＵＭＴＳコアネットワークとＵＭＴＳネットワークのＲＮＣとへ通過させ、無線ネットワーク制御装置においてＧＳＭパラメータをＵＴＲＡＮパラメータに変換し、変換したパラメータに応答してＵＴＲＡＮ資源を割当てる。したがって、ＵＭＴＳネットワークへのエントリ上でＧＳＭパラメータを変換するよりむしろ、ＧＳＭパラメータは、少なくともＵＭＴＳネットワークを介してＲＮＣへトランスペアレントに通過させる。【選択図】      図１
2006295964.tif 000002
【特許請求の範囲】
【請求項１】
ユーザ装置とＵＭＴＳネットワークとの間にＵＭＴＳ通信を確立する方法であって、前記ユーザ装置はＧＳＭ型ネットワークと交信する前記ＵＭＴＳ通信確立方法に於いて、前記ＵＭＴＳネットワークの無線ネットワーク制御装置によって供給されるＵＴＲＡＮパラメータ情報を前記ユーザ装置へ前記ＧＳＭ型ネットワークを介して転送するステップと、前記ユーザ装置において前記ＵＴＲＡＮパラメータを解釈するステップと、前記解釈により、ハンドオーバを実施するための無線資源を特定するステップと、この特定により前記ＵＭＴＳネットワークと通信を開始するステップとを含む、ＵＭＴＳ通信確立方法。
【請求項２】
前記ＵＴＲＡＮパラメータ情報は接続対象となりうるＵＴＲＡＮアクセスポイントのリストを有する、請求項１記載の方法。
【発明の詳細な説明】
【技術分野】
【０００１】
本発明は、移動通信システムに関し、特に、２種類の通信システム間のハンドオーバ、例えばＧＳＭ（global system for mobile communication）及びＵＭＴＳネットワーク間の呼のハンドオーバに関する。
【０００２】
最初に、本明細書において使用する略語について説明する。
【０００３】
ＡＲＣ      自動繰返し要求（Automatic Repeat Request）
ＢＣＣＨ    放送制御チャネル（Broadcast Control Channel）
ＢＣＨ      放送チャネル（Broadcast Channel）
ＢＰＳＫ    バイナリ位相偏移キーイング（Binary Phase Shift Keying）
ＢＳＳ      基地局システム（Base Station System）
ＢＴＳ      基地トランシーバ局（Base Transceiver Station）
Ｃ−        制御ー（Control-）
ＣＣ        呼制御（Call Control）
ＣＣＣＨ    共通制御チャネル（Common Control Channel）
ＣＣＨ      制御チャネル（Control Channel）
ＣＣＴrＣＨ  コード化複合転送チャネル（Coded Composite Transport Channel）
ＣＤＭＡ    符号分割多元接続（Code Division Multiple Access）
ＣＮ        コアネットワーク（Core Network）
ＣＲＣ      巡回冗長検査（Cyclic Redundancy Check）
ＤＣ        専用制御（Dedicated Control(SAP)）
ＤＣＡ      動的チャネル割当（Dynamic Channel Allocation）
ＤＣＣＨ    専用制御チャネル（Dedicated Control Channel）
ＤＣＨ      専用チャネル（Dedicated Channel）
ＤＨＯ      ダイバシティハンドオーバ（Diversity Handover）
ＤＬ        ダウンリンク（Downlink）
ＤＲＮＣ    ドリフト無線ネットワーク制御装置（Drift Radio Network Controller）
ＤＳ−ＣＤＭＡ  直接シーケンス符号分割多元接続（Direct-Sequence Code Division 
Multiple Access）
ＤＳＣＨ    ダウンリンク共用チャネル（Downlink Shared Channel）
ＤＴＣＨ    専用トラフィックチャネル（Dedicated Traffic Channel）
ＤＴＸ      不連続伝送（Discontinuous Transmission）
ＦＡＣＨ    順方向リンクアクセスチャネル（Forward Link Access Channel）
ＦＡＵＳＣＨ  高速アップリンク信号チャネル（Fast Uplink Signalling Channel）
ＦＣＳ      フレームチェックシーケンス（Frame Check Sequence）
ＦＤＤ      周波数分割二重（Frequency Division Duplex）
ＧＣ        汎用制御（General Control (SAP)）
ＨＯ        ハンドオーバ（Handover）
ＨＨＯ      ハードハンドオーバ（Hard Handover）
ＩＴＵ      国際電気通信連合（International Telecommunication Union）
ｋｂｐｓ    キロビット／秒（kilo-bits per second）
ｋｓｐｓ    キロシンボル／秒（kilo-symbols per second）
Ｌ１        第１層（物理層）（Layer 1 (physical layer)）
Ｌ２        第２層（データリンク層）（Layer 2 (data link layer）
Ｌ３        第３層（ネットワーク層）（Layer 3 (network layer)）
ＬＡＣ      リンクアクセス制御（Link Access Control）
ＭＡＣ      メディアアクセス制御（Medium Access Control）
ＭＭ        移動管理（Mobility Management）
Ｍｃｐｓ    メガチップ／秒（Mega-chips per second）
Ｎt          通知（Notification (SAP)）
ＯＣＣＣＨ    ＯＤＭＡ共通制御チャネル（ODMA Common Control Channel）
ＯＤＣＣＨ    ＯＤＭＡ専用制御チャネル（ODMA Dedicated Control Channel）
ＯＤＣＨ      ＯＤＭＡ専用チャネル（ODMA Dedicated Channel）
ＯＤＭＡ      機会駆動多元接続（Opportunity Driven Multiple Access）
ＯＲＡＣＨ    ＯＤＭＡランダムアクセスチャネル（ODMA Random Access Channel）
ＯＤＴＣＨ    ＯＤＭＡ専用トラフィックチャネル（ODMA Dedicated Traffic Channel）
ＰＣＣＨ      ページング制御チャネル（Paging Control Channel）
ＰＣＨ        ページングチャネル（Paging Channel）
ＰＤＵ        プロトコルデータユニット（Protocol Date Unit）
ＰＨＹ        物理層（Physical layer）
ＰhyＣＨ      物理チャネル（Physical channel）
ＲＡＣＨ      ランダムアクセスチャネル（Random Access Channel）
ＲＬＣ        無線リンク制御（Radio Link Control）
ＲＮＣ        無線ネットワーク制御装置（Radio Network Controller）
ＲＮＳ        無線ネットワークサブシステム（Radio Network Subsystem）
ＲＮＴＩ      無線ネットワーク一時識別子（Radio Network Temporary Identifier）
ＲＲＣ        無線資源制御（Radio Resource Control）
ＳＡＰ        サービスアクセスポイント（Service Access Point）
ＳＣＣＨ      同期制御チャネル（Synchronization Control Channel）
ＳＣＨ        同期チャネル（Synchronization Channel）
ＳＤＵ        サービスデータユニット（Service Date Unit）
ＳＩＲ        信号対干渉比（Signal-to-Interference Ratio）
ＳＲＮＣ      サービング無線ネットワーク制御装置（Serving Radio Network Controller）
ＳＲＮＳ      サービング無線ネットワークサブシステム（Serving Radio Network Subsystem）
ＴＣＨ        トラフィックチャネル（Traffic Channel）
ＴＤＤ        時分割二重（Time Division Duplex）
ＴＦＣＩ      転送フォーマット結合インジケータ（Transport Format Combination I
ndicator）
ＴＦＩ        転送フォーマットインジケータ（Transport Format Indicator）
ＴＮ          終端ノード（Termination Node）
ＴＰＣ        送信電力制御（Transmit Power Control）
ＴＲＸ        送受信機（Transmitter/Receiver）
Ｕ−          ユーザ−（User-）
ＵＥ          ユーザ装置（User Equipment）
ＵＥＲ        ＯＤＭＡ中継動作が可能なユーザ装置（User Equipment with ODMA relay operation enabled）
ＵＬ          アップリンク（Uplink）
ＵＭＴＳ      汎用移動通信システム（Universal Mobile Telecommunications System）
ＵＲＡ        ＵＴＲＡＮ登録領域（UTRAN Registration Area）
ＵＴＲＡ      ＵＭＴＳ地球無線アクセス（UMTS Terrestrial Radio Access）
ＵＴＲＡＮ    ＵＭＴＳ地球無線アクセスネットワーク（UMTS Terrestrial Radio Access Network）
次に、本明細書において使用する用語と定義について説明する。
【０００４】
稼働中集団（Active Set）
ＵＥとＵＴＲＡＮとの間の特殊な通信サービスに同時に関連する無線リンクの集団。
【０００５】
セル（Cell）
セルは、１つのＵＴＲＡＮアクセスポイントから放送される（セル）識別からＵＥによって識別できる地質的領域である。
【０００６】
コード化複合転送チャネル（ＣＣＴrＣＨ）
１つ又は幾つかの転送チャネルを符号化し多重化することによって得られるデータの流れ。
【０００７】
ＣＣＴrＣＨのデータの流れは、ＣＣＴrＣＨのデータの流れを１つ又は幾つかの物理チャネルデータの流れに分割するデータ分割ユニットに与えられる。
【０００８】
競合分解能（Contention Resolution）
２つ（又はそれ以上）のＵＥからの初期ランダムアクセスメッセージがあったときの一致の衝突を解決するための機能又は手順。
【０００９】
順方向ハンドオーバ（Forward Handover）
ＵＥによって開始されるハンドオーバの１つの型。ＵＥは新しいセルにおいて新しい無線リンクを確立するための要求を送出する、すなわち、それはハンドオーバを実行するための現在の無線リンクを使用しないが、新しいセルの無線リンクを使用する。
【００１０】
ゲートウェイＵＥＲ／シード（Gateway UER/Seed）
ＴＤＤかＦＤＤモードのどちからかを使用するＵＴＲＡＮと又通信するＯＤＭＡ中継ノード。
【００１１】
ハンドオーバ（Handover）
ハンドオーバは、ＲＲＣ接続が存在しかつＵＥの位置がＵＴＲＡＮにおけるセルレベル上で知られているときに、１つのＵＥとＵＴＲＡＮとの間の１つ又は幾つかの無線リンクを付加し又は削除する一群の手順である。
【００１２】
ハードハンドオーバ（Hard Handover）
ハードハンドオーバは、ＵＥにおける古い全ての無線リンクが、新しい無線リンクが確立される前に、捨てられるところの、ハンドオーバ手順の範疇である。
【００１３】
論理チャネル（Logical Channel）
論理チャネルは、無線インタフェース上の特殊な型の情報の転送に専用される情報の流れである。
【００１４】
ＯＤＭＡ中継ノード（ODMA Relay Node）
ＯＤＭＡプロトコルを使用して中継することができる、ＵＥＲやシードのような、中継装置である。
【００１５】
物理チャネル（Physical Channel）
ＦＤＤモードにおいて、物理チャネルは、符号、周波数、およびアップリンクにおいて相対位相（Ｉ／Ｑ）によって規定される。ＴＤＤモードにおいて、物理チャネルは、符号、周波数、およびタイムスロットによって規定される。
【００１６】
物理チャネルデータの流れ（Physical channel data stream）
アップリンクにおいて、１つの物理チャネル上に伝送されるデータの流れ。
【００１７】
ダウンリンクにおいて、稼働中集団の各セルにおける１つの物理チャネル上に伝送されるデータの流れ。
【００１８】
無線アクセスベアラー（Radio access bearer）
アクセスの流れがＵＥとＣＮとの間のユーザデータの転送のための非アクセスの流れを提供するサービス。
【００１９】
無線フレーム（Radio frame）
無線フレームは、無線物理チャネル上のデータ伝送のために使用される１０ｍｓの間の番号の付けられた時間間隔である。無線フレームは０．６２５ｍｓの間の１６個のタイムスロットに分割される。無線フレーム（１０ｍｓの時間間隔）にマップされるデータの単位もまた無線フレームと呼ばれる。
【００２０】
無線リンク（Radio link）
ＵＥと１つのＵＴＲＡＮアクセスポイントとの間の伝送路を構成する（無線）一組の物理チャネル。
【００２１】
無線リンク追加（Radio link addition）
新しい無線リンクが稼働中集団に追加される手順。
【００２２】
無線リンク削除（Radio link removal）
無線リンクが稼働中集団から除去される手順。
【００２３】
無線ネットワーク一時識別子（ＲＮＴＩ）（Radio Network Temporary Identifier (RNTI)）
無線ネットワーク一時識別子は、ＲＲＣ接続が存在するときのＵＥの識別子である。それは、例えば、共通の転送チャネル（ＲＡＣＨ、ＦＡＣＨ、ＰＣＨ）上のＭＡＣプロトコルによって使用される。
【００２４】
中継器（Relay）
他のユーザ用の情報を受信し送信することができる装置。
【００２５】
中継（Relaying）
ＵＥＫによって実行されるような、他のユーザ用の情報を受信し送信するための過程。
【００２６】
中継リンク（Relaylink）
中継リンクは、２つのＯＤＭＡ中継ノード間の伝送線である。
【００２７】
ルート中継器（Root Relay）
通信が発生されるか受け入れられる所のＯＤＭＡ中継ノード。
【００２８】
ＲＲＣ接続（RRC connection）
それぞれ、ＵＥ上及びＵＴＲＡＮの側でのＲＲＣ同類（peer）エンティティ間の２地点間両方向接続。
【００２９】
シード（Seed）
ネットワークオペレータによって配置され、一般に固定され、一定に駆動され、表示器／キーボードを持たない、ＯＤＭＡ中継ノード。
【００３０】
信号接続（Signalling connection）
非アクセスの流れにおいて同類エンティティ間の高レベル情報を転送するための、ユーザ装置とコアネットワーク間の一般に認められたモードリンク。
【００３１】
信号リンク（Signalling link）
ＵＥ−コアネットワーク信号メッセージ（信号接続を使用する）ばかりでなくＵＥ−ＵＴＲＡＮ信号メッセージをも転送するための一般に認められたモードリンク層を提供する。
【００３２】
ソフトハンドオーバ（Soft Handover）
ソフトハンドオーバは、ＵＥが常にＵＴＲＡＮと少なくとも１つの無線リンクで維持するように無線リンクが付加され削除されるところの、ハンドオーバ手順の範疇である。
【００３３】
送信時間間隔（Transmission Time Interval）
送信時間間隔は、転送ブロックセットの到達間時間として、すなわち、転送ブロックセットを送信するのを獲得する時間として定義される。それは常に１０ｍｓ（１無線フレームの長さ）の倍数である。
【００３４】
転送ブロック（Transport Block）
転送ブロックは、Ｌ１処理のためにＭＡＣからＬ１に伝えられる基本ユニットとして定義される。転送ブロックと等価な用語は、「ＭＡＣＰＤＵ」である。
【００３５】
転送ブロックセット（Transport Block Set）
転送ブロックセットは、同じ転送チャネルを使用して同時にＭＡＣからＬ１へ通される一組の転送ブロックとして定義される。転送ブロックセットと等価な用語は「ＭＡＣＰＤＵセット」である。
【００３６】
転送ブロックセットサイズ（Transport Block Set Size）
転送ブロックセットサイズは、転送ブロックセットのビット数として定義される。
【００３７】
転送ブロックサイズ（Transport Block Size）
転送ブロックサイズは、転送ブロックのサイズ（ビット数）として定義される。
【００３８】
転送チャネル（Transport channel）
同類Ｌ１エンティティ間のデータ転送のために物理層によって第２層に提供されるチャネルは、転送チャネルとして表示される。
【００３９】
異なった型の転送チャネルは、物理チャネル上でデータがどのように転送されどんな特徴をもつかによって定義され、たとえば、専用に使用されるかどうか又は共通の物理チャネルが用いられるかどうかによって定義される。
【００４０】
転送フォーマット（Transport Format）
転送フォーマットは、転送チャネル上の送信時間間隔の間、転送ブロックセットの送出のためにＬ１によってＭＡＣに提供されるフォーマットとして定義される。転送フォーマットは、２つの部分、すなわち、１つの動的部分と１つの半静的部分から成る。
【００４１】
転送フォーマット組合せ（Transport Format Combination）
転送フォーマット組合せは、ＵＥの全ての転送チャネル上の現在有効な転送フォーマットの組合せとして定義され、すなわち、各転送チャネルから１つの転送フォーマットを含む。
【００４２】
転送フォーマット組合せセット（Transport Format Combination Set）
転送フォーマット組合せセットは、ＵＥによって使用されるべき一組の転送フォーマット組合せとして定義される。
【００４３】
転送フォーマット組合せインジケータ（ＴＦＣＩ）（Transport Format Combination Indicator (TFCI)）
転送フォーマット組合せインジケータは、現在の転送フォーマットの表示である。
【００４４】
転送フォーマットインジケータ（ＴＦＩ）（Transport Format Indicator (TFI)）
転送フォーマットセット内の特定の転送フォーマットのラベルである。
【００４５】
転送フォーマットセット（Transport Format Set）
転送フォーマットセットは、転送チャネルと対応づけられる一組の転送フォーマットとして定義される。
【００４６】
ＵＲＡ更新（URA updating）
ＵＲＡ更新は、ＲＲＣ接続が存在しかつＵＥの位置がＵＴＲＡＮにおけるＵＲＡレベル上で知られているときの、ＵＥのＵＴＲＡＮ登録領域を更新する一連の手続である。
【００４７】
使用可能なユーザ装置／中継器（ＵＥＲ）（User Equipment/Relay enable (UER)）
使用可能なＯＤＭＡ中継動作を持つＵＥである。
【００４８】
ＵＴＲＡＮ登録領域（ＵＲＡ）（UTRAN Registration Area (URT)）
ＵＴＲＡＮ登録領域は、多数のセルによってカバーされる領域である。ＵＲＴは、ＵＴＲＡＮにおいて初期にのみ知られている。
【００４９】
ＵＴＲＡＮアクセスポイント（UTRAN access point）
無線送信および受信を実行するＵＴＲＡＮ内の概念ポイントである。ＵＴＲＡＮアクセスポイントは、１つの特定のセルに対応づけられ、すなわち、各セルに対して１つのＵＴＲＡＮアクセスポイントが存在する。それは無線リンクのＵＴＲＡＮ側終点である。
【背景技術】
【００５０】
一般に、ＧＳＭネットワークとＵＭＴＳネットワークとの間のハンドオーバを提供するのを望むことが提案されている。
【発明の開示】
【発明が解決しようとする課題】
【００５１】
しかしながら、これは達成するための簡単なタスクはなく、これが成功して達成する前に実現すべき多くの問題があり、本発明はこれらの問題に関係している。しかしながら、より一般的に、異なったプロトコルを使用するネットワーク間の相互接続機能にもさらに適用可能であり、そのような場合において、ここで使用される用語は、本発明が適用されるネットワークの適切な等価構成要素に適用するよう構成されるべきである。本発明の態様は、ＧＳＭをＵＭＴＳハンドオーバと関連される種々の態様の問題に対する独立した解法を提供するけれども、全ては、この共通の問題に関連づけられ、特に、ＵＭＴＳネットワークのＲＮＣが異なるプロトコルを使用する他のシステムにまで拡張してハンドオーバを制御する際の特定の新しい解法に関連づけられる。
【課題を解決するための手段】
【００５２】
本発明は、理解を容易にするために、ＧＳＭとＵＭＴＳネットワークの場合を例に説明するけれども、同様な特徴を持つ他のネットワーク間のハンドオーバにも適用できる。従って、全てはＧＳＭとＵＭＴＳを参照し、ここで使用される技術の全ての用語は、他のネットワークの等価な機能を包含するように構成されるべきである。特に、現在の日本のＰＤＣ（personal digital cellular）ネットワークは、ＧＳＭと同様のアーキテクチャであり、この明細書中において使用されるＧＳＭ（又はＧＳＭ型）の用語と請求項は、そのようなネットワークを包含することを意図されている。同様に、ＵＭＴＳの用語（と関連する用語）は、現在の標準およびプロトコルに従ったＵＭＴＳシステムとその任意の派生物や等価物を包含することを意図されている。
【００５３】
第１の態様において、本発明は、ＧＳＭネットワークの基地局制御装置（ＢＳＣ）からのハンドオーバ要求を処理する方法を提供し、その方法は、ＧＳＭパラメータを持つハンドオーバ要求を基地局制御装置（ＢＳＣ）からＧＳＭネットワークのマスタ交換センタ（ＭＳＣ）を介してＵＭＴＳコアネットワークとＵＭＴＳネットワークの無線ネットワーク制御装置（ＲＮＣ）とへ通過させるステップと、無線ネットワーク制御装置においてＧＳＭパラメータをＵＴＲＡＮパラメータに変換するステップと、変換したパラメータに応答してＵＴＲＡＮ資源を割当てるステップとを含む。したがって、ＵＭＴＳネットワークへのエントリ上でＧＳＭパラメータを変換するよりむしろ、ＧＳＭパラメータは、少なくともＵＭＴＳネットワークを介してＲＮＣへトランスペアレントに通過される。このパラメータは、１つ又はそれ以上のデータ転送速度、呼種別（音声、データ、ファクシミリ、他、例えば、ビデオ、ＩＰ）、サービス品質を含んで良い。これは、ネットワークにおいてどこか他の負荷を処理するのを削減し、ＲＮＣに呼処理用の最適なＵＴＲＡＮ資源を割当てるのを可能にする。
【００５４】
好ましくは、ＲＮＣはＧＳＭ接続からソフトハンドオーバＵＭＴＳモードに直接変換されるように構成される。これは、個々の接続をユーザ装置（ＵＥ）から単一のＵＭＴＳアクセスノードに簡単に確立するのにたとえられる利点がある。この好ましい機能は、本発明の第２の態様において独立に提供されても良く、本発明の第２の態様は、ＧＳＭネットワークからＵＭＴＳネットワークへ接続する方法を提供し、ユーザ装置（ＵＥ）が、そのユーザ装置が複数のＵＭＴＳアクセスノードと通信しているＵＭＴＳダイバシティモードでＧＳＭ基地局と通信しているモードから、直接変換するステップを有することを特徴とし、好ましくは、複数のアクセスノードがＵＥと通信するように準備される、及び／又は、好ましくは接続対象となりうるアクセスノードのリストをＵＥへ提供するように、ＵＴＲＡＮを構成するステップを有する。
【００５５】
好ましくは、無線ネットワーク制御装置（ＲＮＣ）は、ＲＳＭフォーマットハンドオーバ要求の翻訳に従って先ず無線リンクセットアップを実行し、それから、無線リンクからの応答に従って、無線ネットワーク制御装置とコアネットワーク（ＣＮ）間の通信用にデータ転送セットアップを実行するよう、構成されている。これは、独立によりもむしろ無線リンクセットアップ成功の後に、コアネットワークと通信するのを可能にし、従って、もし無線リンクセットアップができないなら、ＲＮＣ（Ｉuインタフェース）資源に対するＣＮの不要な使用を避けることができる。この好ましい機能は、本発明の第３の態様において独立に提供されても良く、本発明の第３の態様は、ＧＳＭハンドオーバ要求の無線ネットワーク制御装置による受信に続いてユーザ装置とＵＭＴＳ通信を確立する方法を提供し、その方法は、無線ネットワーク制御装置においてノードＢへの無線リンクをセットアップするステップと、無線リンクセットアップの肯定応答に従うステップと、無線ネットワーク制御装置において無線ネットワーク制御装置とコアネットワークとの間のデータ転送をセットアップするステップとを有する。
【００５６】
好ましくは、無線ネットワーク制御装置は、（好ましくは無線リンクセットアップの後に）ＵＴＲＡＮパラメータを含むハンドオーバメッセージをＧＳＭネットワークを介して（例えば、メッセージとして）好ましくはコアネットワークを介してＧＳＭマスタ交換センタへおよび好ましくは少なくともＧＳＭネットワークの基地局制御装置を介して、ユーザ装置へ通過させるように構成され、この方法は、ユーザ装置においてＵＴＲＡＮパラメータを解釈するステップと、このパラメータに応答して、ユーザ装置とＵＭＴＳネットワークとの間の通信を開始するステップとを更に有する。
【００５７】
これは本発明の第４の態様において独立に提供されても良く、本発明の第４の態様は、ユーザ装置とＵＭＴＳネットワークとの間のＵＭＴＳ通信を確立する方法を提供し、ユーザ装置はＧＳＭネットワークと通信し、この方法は、好ましくは、ＵＭＴＳネットワークの無線ネットワーク制御装置から、ＧＳＭネットワークを介してユーザ装置への接続対象となりうるＵＭＴＳアクセスノードのリストを含む、ＵＴＲＡＮパラメータ情報を転送するステップと、このＵＴＲＡＮパラメータ情報を解釈するステップと、ＵＭＴＳネットワークとの通信を開始するステップとを有する。
【００５８】
従って、ＧＳＭ情報がＵＭＴＳネットワークを通過し、ＲＮＣにおいて解釈される、初期ステップと対比して、ＵＴＲＡＮ情報は解釈なしにＧＳＭネットワークを通過し、ＵＥによって解釈される。これは、ＵＴＲＡＮパラメータ情報を処理するための機能を含む必要はなく、現存するＧＳＭネットワークとの相互接続を簡単にすることを意味する。
【００５９】
通信の開始に従って、好ましくは、ＵＥは、ＵＭＴＳネットワークのＲＮＣを介してＧＳＭネットワークのＭＳＣ（ここでＧＳＭ呼が発生される）へのリンクを確立するように構成される。これは、それから、ＭＳＣからＵＥへＵＭＴＳネットワークを介してのリンクを確立するのを完成する。
【００６０】
好ましくは、満足な通信が可能でないＵＥへのリスト中に供給される接続対象となりうるリンクは、使用可能なリンクのリストから削除され、このステップは、ＧＳＭネットワークからＵＭＴＳネットワークへのソフトハンドオーバを実行する方法において独立に提供されることが可能で、その方法は、接続対象となりうるＵＭＴＳアクセスノードのリストをユーザ装置へ供給するステップと、ＵＥと少なくとも１つのＵＭＴＳアクセスノードとの間の通信を確立するステップと、満足した通信が可能でない接続対象となりうるノードを前記リストから削除するステップとを含む。
【００６１】
好ましくは、少なくともハンドオーバの間、ユーザ装置（ＵＥ）は、ＧＳＭネットワークとＵＭＴＳネットワークの両方において同時に又は準同時に通信するように構成される。この機能は、本発明の第５の態様において独立に提供されても良く、本発明の第５の態様は、ユーザ装置とＧＳＭおよびＵＭＴＳネットワークとの間を通信する方法を提供し、その方法は、一方のネットワークから他方のネットワークへハンドオーバする間、両方のネットワークを介して同時に又は準同時に情報を通信するステップを含む。
【００６２】
上述した態様の全ては、独立して提供されても良いが、システムにおいて都合良く組合される。したがって、本発明は、ＵＭＴＳネットワークに対してＧＳＭ呼を処理する方法を提供しても良く、その方法は、ＧＳＭネットワークからハンドオーバ要求（好ましくはＢＳＣから、好ましくはＧＳＭ呼パラメータを含む）ＵＭＴＳネットワークのＲＮＣへ通過させるステップと、ＲＮＣにおいて前記要求を解釈するステップと、呼セットアップを開始するステップ（好ましくは、無線リンクセットアップを実行し、好ましくはその後、セットアップ成功に応答して、コアネットワークセットアップに対するデータリンクを実行する）と、ＵＴＲＡＮパラメータ（好ましくは、接続対象となりうるアクセスノードのリストを含む）を含むハンドオーバ情報をＵＥへ転送する（好ましくは、ＵＥによって解釈されるべき、例えばメッセージとして、ＧＳＭネットワークを介してトランスペアレントにＵＴＲＡＮ情報を通過させる）ステップと、ＵＥにおいてＵＴＲＡＮパラメータに基づいてＵＭＴＳ呼をセットアップするステップとを含む。
【００６３】
本発明は、無線ネットワークやネットワークの組合せ、無線ネットワーク構成要素、特に、ＲＮＣおよびＵＥに拡張し、全ては上述した態様の方法のいずれかを実現するように構成される。
【発明を実施するための最良の形態】
【００６４】
以下、本発明の実施の形態について、添付図面を参照して、説明するが、図１はＭＡＰ／Ｅインタフェースを介してのＧＳＭからＵＭＴＳハンドオーバまでの間の事象のシーケンスを示している。これは又ＩＷＵ（Inter Working Unit）を介して適用できるだろう。
【００６５】
１．ＢＳＣは、Handover RequiredメッセージをＧＳＭのＭＳＣへ送る。これは、ＧＳＭ情報要素{サービス情報転送速度、サービスの種類、など}と、良好な無線品質を達成できるＵＭＴＳセル／ノードＢ情報とを含む。
【００６６】
２．ＧＳＭのＭＳＣは、ＭＡＰ／ＥメッセージPrepare Handoverを、ＵＭＴＳcell−idsをトランスペアレントに転送するＵＭＴＳのＣＮへ送る。
【００６７】
３．ＣＮは、ＲＡＮＡＰメッセージHandover Requestを目標ＲＮＣへ送る。このメッセージは、このハンドオーバがどの型のネットワークから起こったのか、例えば、‘handove−type’＝‘from GSM’を示す情報要素を含んで良い。それは、又、ＲＮＣへのＧＳＭパラメータ、例えば、ＧＳＭベアラー能力（GSM Bearer Capability）、バージョン番号およびＧＳＭ呼に関連する他の適切なパラメータのトランスペアレント転送を可能にする情報要素を含んでも良い。加えて、ＭＳ／ＵＥによって提供される適切なＵＭＴＳセル／ノードＢ情報は、又、ＲＮＣへトランスペアレントに転送される。
【００６８】
４．ＲＮＣは、ＧＳＭの適当な呼パラメータを適切なＵＭＴＳ論理チャネル、転送チャネルにマップし、無線資源パラメータを適切に割当てる（例えば、ＤＬチャネライゼーションコード（DL channelization code）、ＵＬ拡散係数（UL spreading factor）、ＵＬスクランブルコード（UL scrambling code）、無線周波数、無線リンクＩＤ（Radio Link ID）、リンク番号（Link reference）、Ｓ-ＲＮＴＩ、転送フォーマットセット、転送フォーマット組合せセット、初期ＤＬ電力）。この機能は、この段階でのみ成される。何故なら、ＲＮＣのみが無線資源の状態を知っているからである。
【００６９】
５．専用転送チャンネルが選択されるので、ＧＳＭ呼は即座にソフトハンドオーバに入ることができる。
【００７０】
i)ＲＮＣはＮＢＡＰメッセージRadio Link Setupを全ての関連するノードＢへ送る。
【００７１】
ii)全ての関連するノードＢは送信／受信を開始する。
【００７２】
iii)全ての関連するノードＢは、ＮＢＡＰメッセージRadio Link Setup ResponseをＲＮＣへ送る。
【００７３】
６．ＲＮＣは、全ての関連するノードＢに対してＩub転送ベアラーをセットアップする。ＲＮＣは、Ｉubに対応して転送ベアラーをセットアップする状態になる。何故なら、それは、もしＵＴＲＡＮ資源がうまくセットアップされているなら、知っているからである。
【００７４】
７．ＲＮＣはＩu転送ベーラーをセットアップする。ＲＮＣは、Ｉuに対応して転送ベアラーをセットアップする状態になる。何故なら、それは、もしＵＴＲＡＮ資源がうまくセットアップされているなら、知っているからである。
【００７５】
８．ＲＮＣは、ＣＮへ適切なＵＭＴＳパラメータ（例えば、ＤＬチャネライゼーションコード、ＵＬ拡散係数、ＵＬスクランブルコードなど）を載せたHandover Response Acknowledgeを送り、ＣＮは、ＵＥに対してのＵＭＴＳへのハンドオーバ成功を可能とするように考慮されている。
【００７６】
９．ＣＮは、Prepare Handover ResponseをＧＳＭのＭＳＣへ送る（ＵＭＴＳパラメータを転送する）。
【００７７】
１０．ＧＳＭのＭＳＣは、Handover CommandをＢＳＣへ送る（ＵＭＴＳパラメータを転送する）。
【００７８】
１１．ＢＳＣは、ＲＲメッセージHandover CommandをＵＥへ送る。これは必要なＵＭＴＳパラメータを含む。
【００７９】
１２．ＵＥはＲＲメッセージ内のＵＭＴＳパラメータを解釈し、ＧＳＭ呼からの呼を、ＵＭＴＳパラメータによって指示される多数又は単一のダイバシティブランチを持つＵＭＴＳ呼に切り替えることができる。この段階で、移動機は、そのＧＳＭ能力を使用してＧＳＭネットワークからの情報を受信し、この情報を、ＵＭＴＳネットワークへの通信に使用したり、又は、そのＵＭＴＳおよびＧＳＭ能力を使用してＵＭＴＳネットワークとＧＳＭネットワークと同時に通信するために使用する。
【００８０】
１３．ＵＥは送信／受信を開始する。
【００８１】
１４．同期を検出すると、ノードＢは、ＮＢＡＰメッセージHandover DetectをＲＮＣへ送る。
【００８２】
１５．もし無線リンクの少なくとも１つがうまくセットアップされたなら、ＲＮＣは、ＤＴＣＨ用のＲＬＣリンクとＤＣＣＨ用のＲＲＣをＵＥに対して確立できる。ＲＮＣは、ＣＮに対して信号を送ることができ、ハンドオーバが完了してことをＭＳＣへ向けて送ることができる。ＭＳＣは新しいＵＴＲＡＮ脚を介して呼を接続できる。
【００８３】
１６．ＤＬ上で割当てられた複数の無線リンクを持つ場合において、もしＵＬ同期が検出されないなら、適当な信号が、ノードＢとＲＮＣとの間で、使用されない無線資源を解放するために通信される。
【００８４】
本発明は他のネットワーク構成に適用できることが分かるだろう。本発明がどのように拡張されるかの認識を助けるために、ＵＭＴＳシステムと関係する技術において使用される用語集が提供され、この分野の用語のいずれも非ＵＭＴＳシステムにおいて機能的に等価な構成要素と置き換えられるだろう。次の書類はここで文献として組み入れられる。［１］Draft-ETR/SMG-50102,"Special Mobile Group (SMG) Vocabulary for the Universal Mobile Telecommunications System".［２］ETSI DTR/SMG-0225xxU,"Universal Mobile Telecommunications System (UMTS); Vocabulary for the UTRAN", UMTS25.XX Version 0.1.0.
【図面の簡単な説明】
【００８５】
【図１】ＭＡＣ／Ｅインタフェースを介してのＧＳＭからＵＭＴＳハンドオーバまでの事象のシーケンスを示す図である。
【符号の説明】
【００８６】
ＵＥ    ユーザ装置
ＲＮＣ    無線ネットワーク制御装置
ＣＮ    コアネットワーク
ＭＳＣ    マスタ交換センタ
ＢＳＣ    基地局制御装置
【図１】
2006295964.tif 000003